(57)【要約】      （修正有）【課題】ペットの病気への抵抗力を向上させる、ペット用品としての水素水自動給水器を提供する。【解決手段】一つの連結トラフ１１０と一つの飲料水タンク１２０が設置され、飲料水タンクが、連結トラフの側面に設置され、且つ、連結トラフに接続している台座１０と、水タンク２０であって、連結トラフを通して、台座に取り付けられ、水タンクと連結トラフとの接続ポートに一つの排出口２１０が設置されていることによって、水が、排出口を通して流れ出て、且つ、連結トラフを通して飲料水タンクに流れ込む水タンクと、連結トラフの下側に取り付けられている制御回路３０と、溝１２１内に取り付けられ、且つ、制御回路と接続している電解装置４０と、を含み、飲料水タンクの底部に溝が設置され、溝の底部に酸素排出管１２２が設置されている。【選択図】図３
0003234420.tif 000002
【実用新案登録請求の範囲】
【請求項１】
次の構成部分、即ち、
一つの台座（一つの連結トラフと一つの飲料水タンクが設置され、 当該飲水タンクが、当該連結トラフの側面に設置され、且つ、当該連結トラフに接続している）; 
一つの水タンク、（当該連結トラフを通して、当該台座に取り付けられ、当該水タンクと当該連結トラフとの接続ポートに一つの排出口が設置されていることによって、（当該水タンクの中の水が、当該排出口を通して流れ出て、且つ、当該連結トラフを通して当該飲料水タンクに流れ込む；当該飲料水タンクの底部に一つの溝が設置され、当該溝の底部に酸素排出管が設置されている）；
一つの制御回路（当該連結トラフの下側に取り付けられている）； 及び
一つの電解装置（当該溝内に取り付けられ、且つ、当該制御回路と接続している）を含むことを特徴とする水素水自動給水器。
【請求項２】
当該電解装置が下記の構成部分、即ち、
一つの第一チタニウム電解網 （当該溝の底部に取り付けられ、且つ、当該制御回路の陽極電源に接続している）；
一つの第二チタニウム電解網（当該第一チタニウム電解網の上側に取り付けられていて、且つ、当該制御回路の陰極電源に接続している）；及び
一つのイオン交換膜（当該第一チタニウム電解網と第二チタニウム電解網との間に設置されている）を含むことを特徴とする請求項1に記載の水素水自動給水器。
【請求項３】
その中で、当該連結トラフと当該飲料水タンクとの間に、これらを隔離する一つの側面壁が設置されていて、当該側面壁に一つの開口が設置されていて、当該連結トラフが当該開口を通して、当該飲料水タンクと接続することを特徴とする請求項1に記載の水素水自動給水器。
【請求項４】
その中で、当該連結トラフ底部に、当該水排出口に相応して、一つの透明な位置決め台座が設置され、当該水排出口に、一つの水タンク下カバーが設置され、当該水タンク下カバーが、当該連結トラフ内に放置され、且つ、当該透明な位置決め台座に弾性的に押し付き、当該水タンクの下端が、下向きで縁材が伸び出し、且つ、当該縁材が当該連結トラフ内に置かれている； 当該縁材の底端から、連結トラフ底部までの距離が、当該開口の上縁から、連結トラフ底部までの距離を下回る； 当該連結トラフ内の水位が、当該縁材底端に達する時に、当該縁材が、当該水タンクの下端面及び水面と、密閉スペースを囲うことに適することを特徴とする請求項3に記載の水素水自動給水器。
【請求項５】
その中で、当該透明な位置決め台座の下側に、複数の多彩なLEDライトが設置されていて、 これらの多彩なLEDライトが、当該制御回路と電気的に接続し、且つ、当該制御回路により制御されて彩光を出すことを特徴とする請求項4に記載の水素水自動給水器。
【請求項６】
その中で、当該水タンク上端に一つの取水口が設置されていて、 当該取水口に、一つの水タンク上カバーが取り付けられ、且つ、当該水タンク上カバーの下側に、一つのろ過装置が接続されていることを特徴とする請求項1に記載の水素水自動給水器。
【請求項７】
その中で、当該飲料水タンクの底部に、一つの導流溝が設置されていて、当該導流溝が、当該連結トラフを通して、水流を排出して、当該溝に導入することを特徴とする請求項1に記載の水素水自動給水器。  
【請求項８】
その中で、当該溝の出口に、一つの保護カバーが取り付けられていることを特徴とする請求項1に記載の水素水自動給水器。  
【請求項９】
その中で、当該台座側面に、当該制御回路に電気的に接続している制御機構が設置されていることを特徴とする請求項1に記載の水素水自動給水器。  
【請求項１０】
その中で、当該制御機構が下記の構成部分、即ち、
一つの電源接続端子 （一つの外部給電装置に接続することによって、外部電力を、当該制御回路に供給する）；
一つの制御ボタン（当該制御回路の動作を制御する）；及び
複数の信号ランプ（当該水素水自動給水器の動作状況を表示する）を含むことを特徴とする請求項9に記載の水素水自動給水器。
【考案の詳細な説明】
【技術分野】
【０００１】
本考案は、ペット用品技術分野に関わり、特に水素水自動給水器に関わる。 
【背景技術】
【０００２】
全世界が少子化と高齢化の生活形態になるに連れて、日増しに多いペットペット飼い主は、ペットを家庭メンバーに見なしているので、ペットの「全人化」の新興サービス業のビジネスチャンス大爆発を促す。多くの飼い主による、「毛のある子供」に対する配慮は、ひいては人類に対する用心を超える。従って、ペットの健康は、必ず全体の飼い主が一番関心を寄せることである。現在、ペットに医療保険がないので、一旦負傷したり、又は疾患に罹ったりすると、医療費用が十分高い。 その上、ペットが、小さい感染により、死亡の脅威に直面し易いので、ペットの保健機能を提供することによって、ペットを一層健康にすることができ、それに加えて、寿命を延長する製品は、必ず将来の市場における主流製品になる。
【０００３】
高純度水素水は、豊富な水素分子を含有しているので、 国際的に、一番安全で、副作用がないと見なされている抗酸化剤である。 今まで、1000本余りの研究論文は、水素分子が、多種の疾患に対して予防と治療の役割を果たすことを実証した。 但し、現在市販の水素水自動給水器は、ペットに高純度水素水を提供することによって、 高純度水素水を通じて、ペットの病気への抵抗力を向上させることができない。
【考案の概要】
【考案が解決しようとする課題】
【０００４】
現有技術の不足点を克服する為に、本考案は、水素水自動給水器を提供し、即ち、 ペットに、高純度水素水を提供することによって、 高純度水素水を通じて、ペットの病気への抵抗力を向上させることができない。 
【課題を解決するための手段】
【０００５】
本考案を実現する為に、下記の技術案を採用する。 
【０００６】
下記の構成部分を含む水素水自動給水器。一つの台座 （一つの連結トラフと一つの飲料水タンクが設置され、当該飲水タンクが、当該連結トラフの側面に設置され、且つ、当該連結トラフに接続している）； 一つの水タンク（当該連結トラフを通して、当該台座に取り付けられ、当該水タンクと当該連結トラフとの接続ポートに一つの排出口が設置されていることによって、当該水タンクの中の水が、当該排出口を通して流れ出て、且つ、当該連結トラフを通して当該飲料水タンクに流れ込む；当該飲料水タンクの底部に一つの溝が設置され、当該溝の底部に酸素排出管が設置されている）； 一つの制御回路（当該連結トラフの下側に取り付けられている）； 及び一つの電解装置（当該溝内に取り付けられ、且つ、当該制御回路と接続している）。
【０００７】
好ましくは、当該電解装置が下記の構成部分を含むことである。一つの第一チタニウム電解網（当該溝の底部に取り付けられ、且つ、当該制御回路の陽極電源に接続している）； 一つの第二チタニウム電解網（当該第一チタニウム電解網の上側に取り付けられていて、且つ、当該制御回路の陰極電源に接続している）；及び一つのイオン交換膜（当該第一チタニウム電解網と第二チタニウム電解網との間に設置されている）。
【０００８】
好ましくは、当該連結トラフと当該飲料水タンクとの間に、これらを隔離する一つの側面壁が設置され、当該側面壁に一つの開口が設置され、当該連結トラフが当該開口を通して、当該飲料水タンクと接続することである。
【０００９】
好ましくは、当該連結トラフ底部に、当該水排出口に相応して、一つの透明な位置決め台座が設置され、当該水排出口に、一つの水タンク下カバーが設置され、当該水タンク下カバーが、当該連結トラフ内に放置され、且つ、当該透明な位置決め台座に弾性的に押し付き、 当該水タンクの下端が、下向きで縁材が伸び出し、且つ、 当該縁材が当該連結トラフ内に置かれることである； 当該縁材の底端から、連結トラフ底部までの距離が、当該開口の上縁から、連結トラフ底部までの距離を下回ることである；当該連結トラフ内の水位が、当該縁材底端に達する時に、当該縁材が、当該水タンクの下端面及び水面と、密閉スペースを囲うことに適することである。
【００１０】
好ましくは、当該透明な位置決め台座の下側に、複数の多彩なLEDライトが設置され、且つ、これらの多彩なLEDライトが、当該制御回路と電気的に接続し、且つ、当該制御回路により制御されて彩光を出すことである。
【００１１】
好ましくは、当該水タンク上端に一つの取水口が設置され、 当該取水口に、一つの水タンク上カバーが取り付けられ、且つ、当該水タンク上カバーの下側に、一つのろ過装置が接続されることである。
【００１２】
好ましくは、当該飲料水タンクの底部に、一つの導流溝が設置され、 当該導流溝が、当該連結トラフを通して、水流を排出して、当該溝に導入することである。
【００１３】
好ましくは、当該溝の出口に、一つの保護カバーが取り付けられることである。 
【００１４】
好ましくは、当該台座側面に、当該制御回路に電気的に接続している制御機構が設置されることである。
【００１５】
好ましくは、当該制御機構が下記の構成部分、即ち、一つの電源接続端子（一つの外部給電装置に接続することによって、外部電力を、当該制御回路に供給する）；一つの制御ボタン（当該制御回路の動作を制御する）；及び複数の信号ランプ（当該水素水自動給水器の動作状況を表示する）を含むことである。
【考案の効果】
【００１６】
既存技術と比べて、 本考案は、下記の有益効果を有する。 本実用新案は、飲料水タンク内に電解装置を設置することによって、 飲料水タンク内の水を電解して、大量な水素イオンを生成し、これで、 水生成機能に対して活性化効果を果たし、更に ペットが当該水を飲用した後に、免疫力を向上させ、且つ、疾病の発生確率を有効に低減することである。
【図面の簡単な説明】
【００１７】
【図１】本考案における、水素水自動給水器の立体図である；
【図２】本考案における、水素水自動給水器のその他の角度の立体図である；
【図３】本考案における、水素水自動給水器の断面図である。
【考案を実施するための形態】
【００１８】
これから、図式及び本考案の具体的な実施方式を更に説明することによって、本考案を更に説明する。説明する必要なものとしては、 衝突しない前提の下で、これから説明する各実施形態の間に、又は各技術特徴の間に、任意に組み合わせることによって、新しい実施形態を形成することができることである。
【００１９】
図1-3で示すような、水素水自動給水器1は、一つの台座10、一つの水タンク20、一つの制御回路30及び一つの電解装置40を含む。 台座10に、一つの連結トラフ110と一つの飲料水タンク120が設置され、 飲水タンク120が、連結トラフ110の側面に設置され、且つ、連結トラフ110に接続している。 水タンク20が、連結トラフ110を通して、台座10に取り付けられている。水タンク20と連結トラフ110との接続ポートに一つの排出口210が設置されていることによって、水タンク20の中の水が、排出口210を通して流れ出て、且つ、連結トラフ110を通して飲料水タンク120に流れ込む。飲料水タンク120の底部に一つの溝121が設置されていて、当該溝121の底部に酸素排出管122が設置されている。本考案によって、飲料水タンク120の底部に、導流溝124が設置されていて、導流溝124が、連結トラフ110を通して、水流を排出して、当該溝121に導入する。制御回路30が、連結トラフ110の下側に取り付けられている。ユーザは、使用のニーズによって、制御回路30を通じて電解装置40の電解持続時間を制御することができると同時に、定時的な電解も行うことができる。 具体的に言うと、 本考案における制御回路30がCY2890-F02制御回路を採用することができる。制御回路40が、溝121に取り付けられ、且つ、電線440を通して、制御回路40に接続している。 
【００２０】
本考案における、水素水自動給水器1が作動する時に、水タンク20の中の水が、排出口210を通して流れ出てから、連結トラフ110を通して飲料水タンク120に流れ込んだ後、溝121に取り付けられる電解装置40と接触する。制御回路30が、電解装置40を制御して作動させ、溝121の中の水を電解することによって、 水の中の水素イオン濃度を増加する。 
【００２１】
具体的に言うと、電解装置40が、下記の構成部分、即ち、一つの第一チタニウム電解網410、一つの第二チタニウム電解網420及び一つのイオン交換膜430を含む。第一チタニウム電解網410が、溝121の底部に取り付けられ、且つ、制御回路30の陽極電源に接続している。 第二チタニウム電解網420が、第一チタニウム電解網410の上端に取り付けられ、且つ、制御回路30の陰極電源に接続している。イオン交換膜430が、第一チタニウム電解網410と第二チタニウム電解網420との間に設置されている。 
【００２２】
作動時に、第一チタニウム電解網410と第二チタニウム電解網420が、水を電解する。第一チタニウム電解網410が、制御回路30の陰極に接続していて、第一チタニウム電解網410が水を電解した後に、大量な水素イオンを生成して水に溶け込むが、もう一方、第二チタニウム電解網420が、制御回路30の陽極電源に接続しているので、電解プロセス中において、第二チタニウム電解網420が、大量な酸素イオンを生成する。酸素イオンと水素イオンとの結合を避ける為に、第一チタニウム電解網410と第二チタニウム電解網420との間に、またイオン交換膜430が設置されていることによって、第二チタニウム電解網420により生成される酸素イオンの透過を阻止し、且つ、第一チタニウム電解網410により、電解で生成される水素イオンと結合する。生成する酸素が、溝121底部に設置される酸素排出管122から排出される。 
【００２３】
更に具体的に言うと、連結トラフ110と飲料水タンク120との間に、これらを隔離する一つの側面壁115が設置されていて、当該側面壁115に一つの開口115aが設置され、連結トラフ110が当該開口115aを通して、飲料水タンク120と接続する。 
【００２４】
連結トラフ110底部に、水排出口210に相応して、一つの透明な位置決め台座130が設置され、水排出口210に、一つの水タンク下カバー220が設置されている。水タンク下カバー220が、当該連結トラフ110内に放置され、且つ、当該透明な位置決め台座130に弾性的に押し付き、水タンク20の下端が、下向きで縁材260が伸び出し、且つ、当該縁材260が当該連結トラフ内110に置かれている。縁材260の底端から、連結トラフ110底部までの距離が、開口115aの上縁から、連結トラフ110底部までの距離を下回る。 連結トラフ110内の水位が、縁材260底端に達する時に、縁材260が、水タンク20の下端面及び水面と、密閉スペースを囲うことに適する。この時、密閉スペース内の大気圧が、外界空気大気圧に一致して、水タンク20の中の水が、水排出口210と水タンク下カバー220との間のギャップを透過して、連結トラフ110に流れ込むことができない。連結トラフ110内の水位が、縁材260底端を下回ってからこそ、始めて 水タンク20の中の水が虹吸効果の作用の下で、水排出口210と水タンク下カバー220との間のギャップを透過して、連結トラフ110に流れ込むことができ、 これで、飲料水タンク120に給水して、自動水分補給を形成することができる。 
【００２５】
本考案によって、透明な位置決め台座130の下側に、複数の多彩なLEDライト140が設置されていて、これらの多彩なLEDライト140が、制御回路30と電気的に接続し、且つ、制御回路30により制御されて彩光を出す。出された彩光が、透明な位置決め台座130を透過して、 水タンク20に表示されることによって、情趣を追加することができる。 
【００２６】
水タンク20の上端に、一つの取水口230が設置されていて、 取水口230に、一つの水タンク上カバー240が取り付けられていて、且つ、水タンク上カバー240の下側に、一つのろ過装置250が接続されている。これで、水タンク20に入る水をろ過することによって、水の中の不純物が、水タンク20に入ることを避ける。本考案のろ過装置250は、活性炭素フィルター素子を採用することができる。水タンクの上カバー240と取水口230との接続箇所に、ガスケットが設置されることによって、密封性を向上させる。
【００２７】
溝121の出口に、一つの保護カバー123が取り付けられることによって、異物が溝121に入って、溝121に取り付けられる電解装置40を傷付けることを防止する。 
【００２８】
更に具体的に言うと、台座10側面に、制御回路30に電気的に接続している制御機構150が設置されている。制御機構150が下記の構成部分、即ち、一つの電源接続端子151、一つの制御ボタン152及び複数の信号ランプ153を含む。電源接続端子151が、一つの外部給電装置 (表示されていない) に接続することによって、外部電力を、制御回路30に供給する。制御ボタン152が、制御回路30の作動を制御する。例えば、ユーザは、必要に応じて電解時間を制御することができる。信号ランプ153が、水素水自動給水器1の動作状況を表示することができる。
【００２９】
前記実施形態は、本考案の好ましい実施形態だけであり、 これで本考案の保護範囲を限定できない。本分野技術者により、本考案の基盤の上に実施される如何なる非実質的な変化又は置換は、皆本考案で要求される保護範囲に属する。
【符号の説明】
【００３０】
1                水素水自動給水器
10               台座
110              連結トラフ
115              側面壁
115a             開口
120              飲料水タンク
121              溝
122              酸素排出管
123              保護カバー
124              導流溝
130              透明位置決め台座
140              多彩なLEDライト
150              制御装置
151              電源接続端子
152                制御ボタン
153                信号ランプ
20                 水タンク
210                水排出口
220                水タンクの下カバー
230                取水口
240                水タンクの上カバー
250                ろ過装置
260                縁材
30                 制御回路
40                 電解装置
410                第一チタニウム電解網
420                第二チタニウム電解網
430                イオン交換膜
440                電線
【図１】
0003234420.tif 000003
【図２】
0003234420.tif 000004
【図３】
0003234420.tif 000005
【手続補正書】
【提出日】令和3年8月4日(2021.8.4)
【手続補正１】
【補正対象書類名】実用新案登録請求の範囲
【補正対象項目名】全文
【補正方法】変更
【補正の内容】
【実用新案登録請求の範囲】
【請求項１】
次の構成部分、即ち、
一つの台座であって、一つの連結トラフと一つの飲料水タンクが設置され、 当該飲料水タンクが、当該連結トラフの側面に設置され、且つ、当該連結トラフに接続している台座；
一つの水タンクであって、当該連結トラフを通して、当該台座に取り付けられ、当該水タンクと当該連結トラフとの接続ポートに一つの排出口が設置されていることによって、当該水タンクの中の水が、当該排出口を通して流れ出て、且つ、当該連結トラフを通して当該飲料水タンクに流れ込む水タンク；
一つの制御回路であって、当該連結トラフの下側に取り付けられている制御回路；
一つの電解装置であって、当該溝内に取り付けられ、且つ、当該制御回路と接続している電解装置；を含み、
当該飲料水タンクの底部に一つの溝が設置され、当該溝の底部に酸素排出管が設置されていることを特徴とする水素水自動給水器。
【請求項２】
当該電解装置が下記の構成部分、即ち、
一つの第一チタニウム電解網であって、当該溝の底部に取り付けられ、且つ、当該制御回路の陽極電源に接続している第一チタニウム電解網；
一つの第二チタニウム電解網であって、当該第一チタニウム電解網の上側に取り付けられていて、且つ、当該制御回路の陰極電源に接続している第二チタニウム電解網；及び
一つのイオン交換膜であって、当該第一チタニウム電解網と第二チタニウム電解網との間に設置されているイオン交換膜を含むことを特徴とする請求項1に記載の水素水自動給水器。
【請求項３】
その中で、当該連結トラフと当該飲料水タンクとの間に、これらを隔離する一つの側面壁が設置されていて、当該側面壁に一つの開口が設置されていて、当該連結トラフが当該開口を通して、当該飲料水タンクと接続することを特徴とする請求項1に記載の水素水自動給水器。
【請求項４】
その中で、当該連結トラフ底部に、当該水排出口に相応して、一つの透明な位置決め台座が設置され、当該水排出口に、一つの水タンク下カバーが設置され、当該水タンク下カバーが、当該連結トラフ内に放置され、且つ、当該透明な位置決め台座に弾性的に押し付き、当該水タンクの下端が、下向きで縁材が伸び出し、且つ、当該縁材が当該連結トラフ内に置かれている； 当該縁材の底端から、連結トラフ底部までの距離が、当該開口の上縁から、連結トラフ底部までの距離を下回る； 当該連結トラフ内の水位が、当該縁材底端に達する時に、当該縁材が、当該水タンクの下端面及び水面と、密閉スペースを囲うことに適することを特徴とする請求項3に記載の水素水自動給水器。
【請求項５】
その中で、当該透明な位置決め台座の下側に、複数の多彩なLEDライトが設置されていて、 これらの多彩なLEDライトが、当該制御回路と電気的に接続し、且つ、当該制御回路により制御されて彩光を出すことを特徴とする請求項4に記載の水素水自動給水器。
【請求項６】
その中で、当該水タンク上端に一つの取水口が設置されていて、 当該取水口に、一つの水タンク上カバーが取り付けられ、且つ、当該水タンク上カバーの下側に、一つのろ過装置が接続されていることを特徴とする請求項1に記載の水素水自動給水器。
【請求項７】
その中で、当該飲料水タンクの底部に、一つの導流溝が設置されていて、当該導流溝が、当該連結トラフを通して、水流を排出して、当該溝に導入することを特徴とする請求項1に記載の水素水自動給水器。
【請求項８】
その中で、当該溝の出口に、一つの保護カバーが取り付けられていることを特徴とする請求項1に記載の水素水自動給水器。
【請求項９】
その中で、当該台座側面に、当該制御回路に電気的に接続している制御機構が設置されていることを特徴とする請求項1に記載の水素水自動給水器。
【請求項１０】
その中で、当該制御機構が下記の構成部分、即ち、
一つの電源接続端子であって、一つの外部給電装置に接続することによって、外部電力を、当該制御回路に供給する電源接続端子；
一つの制御ボタンであって、当該制御回路の動作を制御する制御ボタン；及び
複数の信号ランプであって、当該水素水自動給水器の動作状況を表示する信号ランプを含むことを特徴とする請求項9に記載の水素水自動給水器。